(57)【要約】１つまたは複数のチャネルが順方向のみ（ＦＬＯ）信号を含むかどうか判定するために、無線通信環境でＲＦチャネルの監視を円滑にするシステムおよび方法が説明される。受信機は、ＦＬＯ信号を有する第１のＲＦチャネルを受信することができ、ＦＬＯ信号に関してその他のＲＦチャネルを監視することが可能である。監視されたＲＦチャネルがＦＬＯ信号を含むことが決定された時点で、ＲＦチャネル間でスーパーフレーム同期化され得るＦＬＯ信号のシームレスな受信の実現を円滑にするために、受信機は第１のＲＦチャネルと監視されたＲＦチャネルの間で交換することが可能である。ＦＬＯ信号検出は、広域識別チャネルエネルギー検出プロトコルおよび広域オーバヘッド情報記号復号誤り検出プロトコルのうちの１つまたは複数を使用して実行することが可能である。
2009514269.tif 000002
【特許請求の範囲】
【請求項１】
無線通信環境で無線周波数（ＲＦ）内の順方向のみ（ＦＬＯ）信号を検出する方法であって、
監視条件が存在するかどうか判定すること、および
ＦＬＯ信号がその中に存在するかどうか判定するために少なくとも１つの新しいＲＦチャネルを監視すること
を含む方法。
【請求項２】
前記監視条件が、ロック外れ事象およびアプリケーションによって開始された監視事象のうちの少なくとも１つである、請求項１に記載の方法。
【請求項３】
前記少なくとも１つの新しいＲＦチャネルのバックグラウンド監視が、連続的および周期的のうちの少なくとも１つである所定のスケジュールに従って実行される、請求項１に記載の方法。
【請求項４】
時分割多重（ＴＤＭ）パイロットの検出を試みることをさらに含む、請求項１に記載の方法。
【請求項５】
前記ＴＤＭパイロットを検出するためにカウンタをゼロにすることをさらに含む、請求項４に記載の方法。
【請求項６】
前記カウンタを増分することをさらに含む、請求項５に記載の方法。
【請求項７】
前記ＴＤＭパイロットが検出されるかどうか判定することをさらに含む、請求項６に記載の方法。
【請求項８】
前記ＴＤＭパイロットが検出されない場合、前記カウンタをさらに増分することをさらに含む、請求項７に記載の方法。
【請求項９】
前記ＴＤＭパイロットが検出された場合、カウンタ値が前記ＴＤＭパイロットに関連する値より大きいかどうか判定することをさらに含む、請求項７に記載の方法。
【請求項１０】
前記カウンタ値が前記ＴＤＭパイロット値より大きい場合、前記ＦＬＯ信号が前記新しいＲＦチャネル内に存在しないという結論を下すことをさらに含む、請求項９に記載の方法。
【請求項１１】
前記カウンタ値が前記ＴＤＭパイロット値より大きくない場合、遅れ検出試行を開始すべきかどうか判定することをさらに含む、請求項９に記載の方法。
【請求項１２】
前記カウンタを再増分すること、および、遅れ検出試行が開始された場合、前記ＴＤＭパイロットの検出を試みることをさらに含む、請求項１１に記載の方法。
【請求項１３】
遅れ検出試行が開始されない場合、広域識別（ＷＩＤ）チャネルに関連するエネルギーレベルを評価すること、および、前記ＷＩＤチャネルエネルギーレベルを所定の閾値と比較することをさらに含む、請求項１１に記載の方法。
【請求項１４】
前記ＷＩＤチャネルエネルギーレベルが所定の閾値レベルより大きいかどうか判定することをさらに含む、請求項１３に記載の方法。
【請求項１５】
前記ＷＩＤチャネルエネルギーレベルが前記閾値レベルより大きくない場合、前記ＦＬＯ信号が前記新しいＲＦチャネル内に存在しないという結論を下すことをさらに含む、請求項１４に記載の方法。
【請求項１６】
前記ＷＩＤチャネルエネルギーレベルが前記閾値レベルより大きい場合、前記ＦＬＯ信号が前記新しいＲＦチャネル内に存在するという結論を下すことをさらに含む、請求項１４に記載の方法。
【請求項１７】
現在のＲＦチャネルから前記新しいＲＦチャネルへのチャネル交換を可能にすることをさらに含む、請求項１６に記載の方法。
【請求項１８】
前記ＷＩＤエネルギーレベルが前記閾値レベルより大きい場合、広域オーバヘッド情報記号（ＷＯＩＳ）の復号の間に復号誤りが生じたかどうか判定することをさらに含む、請求項１４に記載の方法。
【請求項１９】
復号誤りが生じた場合、前記ＦＬＯ信号が前記新しいＲＦチャネル内に存在しないという結論を下すことをさらに含む、請求項１８に記載の方法。
【請求項２０】
復号誤りが生じなかった場合、前記ＦＬＯ信号が前記新しいＲＦチャネル内に存在するという結論を下すことをさらに含む、請求項１８に記載の方法。
【請求項２１】
現在のＲＦチャネルから前記新しいＲＦチャネルへのチャネル交換を可能にすることをさらに含む、請求項２０に記載の方法。
【請求項２２】
遅れ検出試行が開始されない場合、ＷＯＩＳの復号の間に復号誤りが生じたかどうか判定することをさらに含む、請求項１１に記載の方法。
【請求項２３】
復号誤りが生じた場合、前記ＦＬＯ信号が前記新しいＲＦチャネル内に存在しないという結論を下すことをさらに含む、請求項２２に記載の方法。
【請求項２４】
復号誤りが生じなかった場合、前記ＦＬＯ信号が前記新しいＲＦチャネル内に存在するという結論を下すことをさらに含む、請求項２２に記載の方法。
【請求項２５】
現在のＲＦチャネルから前記新しいＲＦチャネルへのチャネル交換を可能にすることをさらに含む、請求項２４に記載の方法。
【請求項２６】
無線通信環境で監視された無線周波数（ＲＦ）チャネル内の順方向のみ（ＦＬＯ）信号の検出を円滑にする装置であって、
現在のＲＦチャネル上でＦＬＯ信号を受信する間に、少なくとも１つの新しいＲＦチャネルを監視する受信機と、
前記ＲＦチャネルに関連する情報を記憶するメモリと、
前記少なくとも１つの新しいＲＦチャネルが前記ＦＬＯ信号の複製を含むと決定された場合、前記現在のＲＦチャネルと前記少なくとも１つの新しいＲＦチャネルの間で交換する、前記メモリに結合されたプロセッサと
を含む装置。
【請求項２７】
前記受信機が、ロック外れ事象およびアプリケーションによって開始されたＦＬＯ検出事象のうちの少なくとも１つの時点で前記新しいＲＦチャネル内にフロー信号を検出するＦＬＯ信号モニタをさらに含む、請求項２６に記載の装置。
【請求項２８】
前記受信機が、ＦＬＯ信号がその中に存在するかどうか判定するために前記少なくとも１つの新しいＲＦチャネルを監視するバックグラウンドモニタをさらに含む、請求項２６に記載の装置。
【請求項２９】
前記バックグラウンドモニタが制御チャネルを経由して新しいＲＦチャネルのリストを受信する、請求項２８に記載の装置。
【請求項３０】
前記バックグラウンドモニタが、ＲＦチャネル監視を連続的に実行する、請求項２８に記載の装置。
【請求項３１】
前記バックグラウンドモニタが、スーパーフレームごとに少なくとも１回、前記少なくとも１つの新しいＲＦチャネル内のＦＬＯ信号の検出を周期的に試みる、請求項２８に記載の装置。
【請求項３２】
前記受信機が、前記ＦＬＯ信号が前記少なくとも１つの新しいＲＦチャネル内に存在するかどうか判定するために、広域識別チャネルエネルギーレベルが所定の閾値レベルより高いかどうか判定する、請求項２６に記載の装置。
【請求項３３】
前記受信機が、前記ＦＬＯ信号が前記少なくとも１つの新しいＲＦチャネル内に存在するかどうか判定するために、広域オーバヘッド情報記号の復号の間に復号誤りが生じたかどうか判定する、請求項２６に記載の装置。
【請求項３４】
無線通信装置であって、
ＦＬＯ信号を含む現在のＲＦチャネルを受信するための手段と、
新しいＲＦチャネルを監視するための手段と、
ＦＬＯ信号が前記新しいＲＦチャネル内に存在するかどうか判定するための手段と、
ＦＬＯ信号が前記新しいＲＦチャネル内に存在すると決定された場合、前記現在のＲＦチャネルと前記新しいＲＦチャネルの間で交換するための手段と
を含む装置。
【請求項３５】
現在のＲＦチャネル上のロック外れおよび前記新しいＲＦチャネルのアプリケーションによって開始された監視のうちの少なくとも１つの時点でＲＦチャネル監視を実行するための手段をさらに含む、請求項３４に記載の装置。
【請求項３６】
前記新しいＲＦチャネルのバックグラウンド監視を実行するための手段をさらに含み、前記新しいＲＦチャネルが制御チャネルを経由して受信された利用可能なＲＦチャネルのリストから選択される、請求項３４に記載の装置。
【請求項３７】
前記新しいＲＦチャネルに関して広域識別（ＷＩＤ）チャネルエネルギーレベルを評価するための手段をさらに含む、請求項３４に記載の装置。
【請求項３８】
前記新しいＲＦチャネルがＦＬＯ信号を含むかどうか判定するために、前記ＷＩＤチャネルエネルギーレベルを閾値レベルと比較するための手段をさらに含む、請求項３７に記載の装置。
【請求項３９】
前記新しいＲＦチャネルがＦＬＯ信号を含むかどうかを査定するために、広域情報オーバヘッド記号（ＷＯＩＳ）符号誤りが生じたかどうか判定するための手段をさらに含む、請求項３４に記載の装置。
【請求項４０】
前記現在のＲＦチャネル上および前記新しいＲＦチャネル上のＦＬＯ信号がスーパーフレーム同期化される、請求項３４に記載の装置。
【請求項４１】
ＦＬＯ信号を含む第１のＲＦチャネルを受信し、
少なくとも１つのその他のＲＦチャネルを監視し、
前記少なくとも１つのその他のＲＦチャネル内にＦＬＯ信号が存在するかどうか判定し、
ＦＬＯ信号が前記少なくとも１つのその他のＲＦチャネル内に存在すると決定された場合、前記第１のＲＦチャネルと前記少なくとも１つのその他のＲＦチャネルの間で交換する
ためのコンピュータ実行可能命令を含むコンピュータプログラムを有するコンピュータ可読媒体。
【請求項４２】
現在のＲＦチャネル上のロック外れおよび前記少なくとも１つのその他のＲＦチャネルのアプリケーションによって開始された監視のうちの少なくとも１つの時点でＲＦチャネル監視を行うための命令をさらに含む、請求項４１に記載のコンピュータ可読媒体。
【請求項４３】
前記少なくとも１つのその他のＲＦチャネルのバックグラウンド監視を実行するための命令をさらに含み、前記少なくとも１つのその他のＲＦチャネルが制御チャネルを経由して受信された利用可能なＲＦチャネルのリストから選択される、請求項４１に記載のコンピュータ可読媒体。
【請求項４４】
前記少なくとも１つのその他のＲＦチャネルに関して広域識別（ＷＩＤ）チャネルエネルギーレベルを評価するための命令をさらに含む、請求項４１に記載のコンピュータ可読媒体。
【請求項４５】
少なくとも１つのその他のＲＦチャネルがＦＬＯ信号を含むかどうか判定するために、前記ＷＩＤチャネルエネルギーレベルを閾値レベルと比較するための命令をさらに含む、請求項４４に記載のコンピュータ可読媒体。
【請求項４６】
前記少なくとも１つのその他のＲＦチャネルがＦＬＯ信号を含むかどうかを査定するために、広域情報オーバヘッド記号（ＷＯＩＳ）復号誤りが生じたかどうか判定するための命令をさらに含む、請求項４１に記載のコンピュータ可読媒体。
【請求項４７】
前記第１のＲＦチャネル上および前記少なくとも１つのその他のＲＦチャネル上のＦＬＯ信号がスーパーフレーム同期化される、請求項４１に記載のコンピュータ可読媒体。
【請求項４８】
無線通信環境でスループットを高めるための命令を実行するプロセッサであって、前記命令が、
ＦＬＯ信号を含む第１のＲＦチャネルを受信すること、
第２のＲＦチャネルを監視すること、
ＦＬＯ信号が前記第２のＲＦチャネル内に存在するかどうか判定すること、および
ＦＬＯ信号が前記第２のＲＦチャネル内に存在すると決定された場合、前記第１のＲＦチャネルと前記第２のＲＦチャネルの間で交換すること
を含むプロセッサ。
【請求項４９】
前記命令が、現在のＲＦチャネル上のロック外れおよび新しいＲＦチャネルのアプリケーションによって開始された監視のうちの少なくとも１つの時点でＲＦチャネル監視を実行することをさらに含む、請求項４８に記載のプロセッサ。
【請求項５０】
前記命令が、前記第２のＲＦチャネルのバックグラウンド監視を実行することをさらに含み、前記第２のＲＦチャネルが制御チャネルを経由して受信された利用可能なＲＦチャネルのリストから選択される、請求項４８に記載のプロセッサ。
【請求項５１】
前記命令が、前記第２のＲＦチャネルに関して広域識別（ＷＩＤ）チャネルエネルギーレベルを評価することをさらに含む、請求項４８に記載のプロセッサ。
【請求項５２】
前記命令が、前記第２のＲＦチャネルがＦＬＯ信号を含むかどうか判定するために、前記ＷＩＤチャネルエネルギーレベルを閾値レベルと比較することをさらに含む、請求項５１に記載のプロセッサ。
【請求項５３】
前記命令が、前記第２のＲＦチャネルがＦＬＯ信号を含むかどうかを査定するために、広域情報オーバヘッド記号（ＷＯＩＳ）復号誤りが生じたかどうか判定することをさらに含む、請求項４８に記載のプロセッサ。
【請求項５４】
前記第１のＲＦチャネル上および前記第２のＲＦチャネル上のＦＬＯ信号がスーパーフレーム同期化される、請求項４８に記載のプロセッサ。
【請求項５５】
無線通信装置であって、
タイマを初期化するための手段と、
パイロットを検出して、前記タイマに関連するカウンタを増分するための手段と、
カウンタ値を前記パイロットに関連する値と比較するための手段と、
前記パイロットが検出されない場合、遅れ（ｌａｔｅ）パイロット検出アルゴリズムを実行するための手段と、
ＦＬＯ信号が前記パイロットを含む無線周波数チャネル内に存在するかどうか判定するために、前記パイロットに関連する広域識別チャネルに関するエネルギーレベルを所定の閾値のエネルギーレベルと比較するための手段と
を含む装置。
【発明の詳細な説明】
【技術分野】
【０００１】
本出願は、その全体が参照により本明細書に組み込まれている、２００５年９月２７日に出願した「ＲＦ  ＣＨＡＮＮＥＬ  ＳＷＩＴＣＨＩＮＧ  ＩＮ  ＢＲＯＡＤＣＡＳＴ  ＯＦＤＭ  ＳＹＳＴＥＭＳ」という名称の米国仮特許出願第６０／７２１，５０４号の利益を主張するものである。
【０００２】
以下の説明は、一般に無線通信に関し、より詳細には、無線通信環境での無線周波数チャネルの監視および交換に関する。
【背景技術】
【０００３】
無線通信システムは、世界中の大部分の人々が通信するようになった一般的な手段である。無線通信装置は、消費者ニーズを満たし、携帯性と利便性とを改善するために、より小さく、より強力になった。移動電話などの移動体装置内の処理能力の増大は、無線網通信システムの需要の増加をもたらした。かかるシステムは、一般に、その上で通信する移動装置のように簡単に更新されない。移動体装置の能力が拡大すると、新しい、改善された無線装置能力の十分な活用を円滑にするような形で旧無線網システムを維持することは困難な可能性がある。
【０００４】
（例えば、周波数分割技術、時分割技術、および符号分割技術を用いる）典型的な無線通信網は、受信可能範囲領域を提供する１つまたは複数の基地局と、受信可能範囲領域内でデータを送受信することができる１つまたは複数の移動体（例えば、無線）端末とを含む。典型的な基地局は、ブロードキャストサービス、マルチキャストサービス、および／またはユニキャストサービスのために複数のデータストリームを同時に送信することができ、データストリームは、移動体端末にとって独立に受信することに関心があるものとすることができるデータのストリームである。その基地局の受信可能範囲領域内の移動体端末は、複合ストリームによって運ばれる１つのデータストリーム、２つ以上のデータストリーム、またはすべてのデータストリームを受信することに関心を持つ可能性がある。さらに、移動体端末はデータを基地局またはもう１つの移動体端末に送信することができる。基地局と移動体端末との間のまたは移動体端末間のかかる通信は、チャネル偏差および／または干渉電力のばらつきにより劣化する可能性がある。
【０００５】
現在、順方向のみ（ｆｏｒｗａｒｄ−ｌｉｎｋ−ｏｎｌｙ）（ＦＬＯ）信号は、例えば、より低い７００ＭＨｚ周波数帯域内の６ＭＨｚ帯域幅部分を占有する無線周波数（ＲＦ）チャネル上でユーザ装置に送信することが可能である。ＦＬＯ信号は、例えば、コンテンツの複数のストリームを収容するために、２つ以上のＲＦチャネル内に存在する可能性がある。しかし、従来の無線システムは、ＦＬＯ信号などを含む複数のＲＦチャネルの監視、および／またはそれらの間の交換を実現していない。したがって、かかる無線網システムにおいて、スループットを改善するシステムおよび／または方法の必要性が当技術分野に存在する。
【発明の開示】
【０００６】
以下は、１つまたは複数の実施形態の基本的な理解をもたらすために、かかる実施形態の簡潔な概要を提示する。この概要は、すべての企図された実施形態の広範囲な概要ではなく、すべての実施形態の主要なもしくは重要な要素を識別することまたは任意のもしくはすべての実施形態の範囲を描写することを意図していない。その唯一の目的は、後に提示されるより詳細な説明の導入として簡潔な形態で１つまたは複数の実施形態のいくつかの概念を提示することである。
【０００７】
１つまたは複数の実施形態およびそれらの対応する開示によれば、１つまたは複数のチャネルが順方向のみ（ＦＬＯ）信号を含むかどうか判定するために、無線通信環境内のＲＦチャネルを監視することに関して様々な態様が説明される。受信機は、ＦＬＯ信号を有する第１のＲＦチャネルを受信することができ、ＦＬＯ信号に関して、１つまたは複数のその他のＲＦチャネルを監視することが可能である。監視されたＲＦチャネルがＦＬＯ信号を含むことを決定した時点で、受信機は、ＲＦチャネル間でスーパーフレーム同期化される（ｓｕｐｅｒｆｒａｍｅ  ｓｙｎｃｈｒｏｎｉｚｅｄ）ことが可能なＦＬＯ信号のシームレス受信の実現を円滑にするために、第１のＲＦチャネルと監視されたＲＦチャネルの間で交換することが可能である。ＦＬＯ信号検出は、広域識別チャネルエネルギー検出プロトコル（ｗｉｄｅ−ａｒｅａ  ｉｄｅｎｔｉｆｉｃａｔｉｏｎ  ｃｈａｎｎｅｌ  ｅｎｅｒｇｙ  ｄｅｔｅｃｔｉｏｎ  ｐｒｏｔｏｃｏｌ）および広域オーバヘッド情報記号復号誤り検出プロトコル（ｗｉｄｅ−ａｒｅａ  ｏｖｅｒｈｅａｄ  ｉｎｆｏｒｍａｔｉｏｎ  ｓｙｍｂｏｌ  ｄｅｃｏｄｉｎｇ  ｅｒｒｏｒ  ｄｅｔｅｃｔｉｏｎ  ｐｒｏｔｏｃｏｌ）の１つまたは複数を使用して実施することが可能である。
【０００８】
一態様によれば、無線通信環境で無線周波数（ＲＦ）内の順方向のみ（ＦＬＯ）信号を検出する方法は、監視条件が存在するかどうか判定すること、および、ＦＬＯ信号がその中に存在するかどうか判定するために少なくとも１つの新しいＲＦチャネルを監視することを含んでよい。監視条件は、ロック外れ（ｌｏｓｓ−ｏｆ−ｌｏｃｋ）事象および／またはアプリケーションによって開始された監視事象であってよい。さらに、少なくとも１つの新しいＲＦチャネルの監視は、連続的かつ／または周期的な所定のスケジュールに従って実行されてよい。方法は、ＴＤＭパイロットを検出するためにカウンタをゼロにすることを含んでよい、時分割多重（ＴＤＭ）パイロットの検出を試みること、カウンタを増分すること、および、ＴＤＭパイロットが検出されたかどうか判定することをさらに含んでよい。パイロットが検出されない場合、カウンタをさらに増分することが可能である。パイロットが検出されたことが決定された場合、カウンタ値がパイロット値より大きいかどうかを評価するために、カウンタ値をパイロットに関連する値と比較することが可能である。カウンタ値がパイロット値より大きいと決定された場合、ＦＬＯ信号が新しいＲＦチャネル内に存在しないという結論を引き出すことが可能である。方法は、広域識別（ＷＩＤ）チャネルに関連するエネルギーレベルを評価して、ＷＩＤチャネルエネルギーレベルが所定の閾値レベルより大きいかどうか判定することをさらに含んでよく、その場合、ＦＬＯ信号が新しいＲＦチャネル内に存在するという結論を引き出すことが可能である。ＦＬＯ信号が存在する場合、現在のチャネルと新しいＲＦチャネルの間の交換が開始され得る。
【０００９】
関連する態様によれば、方法は、ＷＩＤエネルギーレベルが閾値レベルより大きい場合、広域オーバヘッド情報記号（ＷＯＩＳ）の復号の間に復号誤りが生じるかどうか判定することを含んでよい。方法は、復号誤りが生じた場合、ＦＬＯ信号は新しいＲＦチャネル内に存在しないという結論、または復号誤りが生じていない場合、ＦＬＯ信号は新しいＲＦチャネル内に存在するという結論を下すことをさらに含んでよい。ＦＬＯ信号が存在する場合、現在のチャネルと新しいＲＦチャネルの間の交換が開始され得る。１つまたは複数の態様によれば、方法は、ＷＩＤエネルギー分析プロトコルおよびＷＯＩＳ復号誤り検出プロトコルのどちらか、またはそれらの両方を含んでよい点が理解されるであろう。
【００１０】
もう１つの態様は、無線通信環境で監視される無線周波数（ＲＦ）チャネル内の順方向リンクのみ（ＦＬＯ）信号の検出を円滑にする無線通信装置に関し、現在のＲＦチャネル上でＦＬＯ信号を受信する間に少なくとも１つの新しいＲＦチャネルを監視する受信機と、ＲＦチャネルに関する情報を記憶するメモリと、少なくとも１つの新しいＲＦチャネルがＦＬＯ信号の重複を含むと決定された場合、現在のＲＦチャネルと少なくとも１つの新しいＲＦチャネルの間で交換する、メモリに結合されたプロセッサとを含む。受信機は、ロック外れ事象およびアプリケーションによって開始されたＦＬＯ検出事象のうちの少なくとも１つの時点で新しいＲＦチャネル内のフロー信号を検出するＦＬＯ信号モニタと、ＦＬＯ信号がその中に存在しているかどうか判定するために少なくとも１つの新しいＲＦチャネルを監視するバックグラウンドモニタとをさらに含む。バックグラウンドモニタは、制御チャネルを経由して新しいＲＦチャネルのリストを受信して、ＲＦチャネル監視を連続的に実行する。加えてかつ／または代替として、バックグラウンドモニタはスーパーフレームごとに少なくとも１回、少なくとも１つの新しいＲＦチャネル内のＦＬＯ信号を検出することを周期的に試みることが可能である。受信機は、少なくとも１つの新しいＲＦチャネル内にＦＬＯ信号が存在するかどうか判定するために、広域識別チャネルエネルギーレベルが所定の閾値レベルより高いかどうか判定することが可能である。受信機は、少なくとも１つの新しいＲＦチャネル内にＦＬＯ信号が存在するかどうか判定するために、広域オーバヘッド情報記号の復号の間に復号誤りが生じたかどうかをさらに決定することが可能である。
【００１１】
しかももう１つの態様は、ＦＬＯ信号を含む現在のＲＦチャネルを受信するための手段と、新しいＲＦチャネルを監視するための手段と、ＦＬＯ信号が新しいＲＦチャネル内に存在するかどうか判定するための手段と、ＦＬＯ信号が新しいＲＦチャネル内に存在すると決定された場合、現在のＲＦチャネルと新しいＲＦチャネルの間で交換するための手段とを含む無線通信装置に関する。装置は、現在のＲＦチャネル上のロック外れおよび新しいＲＦチャネルのアプリケーションによって開始された監視のうちの少なくとも１つの時点でＲＦチャネル監視を実行するための手段と、新しいＲＦチャネルのバックグラウンド監視を実行するための手段とをさらに含んでよく、新しいＲＦチャネルは制御チャネルを経由して受信された利用可能なＲＦチャネルのリストから選択される。装置は、新しいＲＦチャネルに関して広域識別（ＷＩＤ）チャネルエネルギーレベルを評価するための手段と、新しいＲＦチャネルがＦＬＯ信号を含むかどうか判定するために、ＷＩＤチャネルエネルギーレベルを閾値レベルと比較するための手段とをさらに含んでよい。加えてまたは代替として、装置は、前述の事柄を円滑にする目的で、新しいＲＦチャネルがＦＬＯ信号を含むかどうかを査定するために、広域情報オーバヘッド記号（ＷＯＩＳ）復号誤りが生じたかどうか判定するための手段を含んでよく、現在のＲＦチャネル上および新しいＲＦチャネル上のＦＬＯ信号はスーパーフレーム同期化することが可能である。
【００１２】
さらにもう１つの態様は、ＦＬＯ信号を含む第１のＲＦチャネルを受信して、少なくとも１つのその他のＲＦチャネルを監視し、少なくとも１つのその他のＲＦチャネル内にＦＬＯ信号が存在するかどうか判定し、ＦＬＯ信号が少なくとも１つのその他のＲＦチャネル内に存在すると決定された場合、第１のＲＦチャネルと少なくとも１つのその他のＲＦチャネルの間で交換するためのコンピュータ実行可能な命令を含むコンピュータプログラムを有するコンピュータ可読媒体に関する。コンピュータ可読媒体は、現在のＲＦチャネル上のロック外れおよび少なくとも１つのその他のＲＦチャネルのアプリケーションによって開始された監視のうちの少なくとも１つの時点でＲＦチャネル監視を実行するための命令と、少なくとも１つのその他のＲＦチャネルのバックグラウンド監視を実行するための命令とをさらに含んでよく、少なくとも１つのその他のＲＦチャネルは制御チャネルを経由して受信された利用可能なＲＦチャネルのリストから選択される。さらに、命令は、少なくとも１つのその他のＲＦチャネルに関して広域識別（ＷＩＤ）チャネルエネルギーレベルを評価すること、および、少なくとも１つのその他のＲＦチャネルがＦＬＯ信号を含むかどうか判定するためにＷＩＤチャネルエネルギーレベルを閾値レベルと比較することを含んでよい。加えてかつ／または代替として、命令は、少なくとも１つのその他のＲＦチャネルがＦＬＯ信号を含むかどうかを査定するために広域情報オーバヘッド記号（ＷＯＩＳ）復号誤りが生じたかどうか判定することを含んでよい。第１のＲＦチャネル上および少なくとも１つのその他のＲＦチャネル上のＦＬＯ信号はスーパーフレーム同期化することが可能である。
【００１３】
さらなる態様は、無線通信環境でスループットを高めるための命令を実行するプロセッサを提供し、命令は、ＦＬＯ信号を含む第１のＲＦチャネルを受信すること、第２のＲＦチャネルを監視すること、ＦＬＯ信号が第２のＲＦチャネル内に存在するかどうか判定すること、および、ＦＬＯ信号が第２のＲＦチャネル内に存在すると決定された場合、第１のＲＦチャネルおよび第２のＲＦチャネルの間で交換することを含む。命令は、現在のＲＦチャネル上のロック外れおよび新しいＲＦチャネルのアプリケーションによって開始された監視のうちの少なくとも１つの時点でＲＦチャネルを監視すること、および／または第２のＲＦチャネルのバックグラウンド監視を実行することをさらに含んでよく、第２のＲＦチャネルは制御チャネルを経由して受信された利用可能なＲＦチャネルのリストから選択される。命令は、第２のＲＦチャネルに関して広域識別（ＷＩＤ）チャネルエネルギーレベルを評価すること、および、第２のＲＦチャネルがＦＬＯ信号を含むかどうか判定するためにＷＩＤチャネルエネルギーレベルを閾値レベルと比較することをさらに含んでよい。加えてまたは代替として、命令は、第２のＲＦチャネルがＦＬＯ信号を含むかどうかを査定するために、広域情報オーバヘッド記号（ＷＯＩＳ）符号誤りが生じたかどうか判定することを含んでよい。第１のＲＦチャネル上および第２のＲＦチャネル上のＦＬＯ信号は、ＦＬＯ信号が両方のＲＦチャネル内に存在する場合、第１および第２のＲＦチャネル間の交換を円滑にするためにスーパーフレーム同期化することが可能である。
【００１４】
しかももう１つの態様は、タイマを初期化するための手段と、パイロットを検出して、タイマに関連するカウンタを増分するための手段と、カウンタ値をパイロットに関連する値と比較するための手段と、パイロットが検出されない場合、遅れパイロット検出アルゴリズムを実行するための手段と、ＦＬＯ信号がパイロットを含む無線周波数チャネルを提示するかどうか判定するために、パイロットに関連する広域識別チャネルに関するエネルギーレベルを所定の閾値のエネルギーレベルと比較するための手段とを含む無線通信装置に関する。
【００１５】
前述の目的および関連する目的の達成のために、１つまたは複数の実施形態は、以下で十分に説明され、特許請求の範囲で具体的に指摘される特徴を含む。以下の説明および添付の図面は、１つまたは複数の実施形態のいくつかの例示的な態様を詳細に記載する。しかし、これらの態様は、様々な実施形態の原理を用いることが可能な様々な方法のほんのいくつかを示し、説明される実施形態はすべてのかかる態様とそれらの均等物を含むことが意図される。
【発明を実施するための最良の形態】
【００１６】
次に、図面を参照して様々な実施形態が説明され、その中を通して、同様の符号は同様の要素を参照するために使用される。以下の説明で、説明の目的のために、１つまたは複数の実施形態の完全な理解をもたらすために、多数の特定の詳細が記載される。しかし、かかる（１つまたは複数の）実施形態は、これらの特定の詳細なしで実現され得ることは明らかであろう。その他の場合、１つまたは複数の実施形態の説明を円滑にするために、よく知られた構造および装置がブロック図形態で示される。
【００１７】
本出願で使用されるように、用語「構成要素」、「システム」などは、コンピュータ関連の実体（ｅｎｔｉｔｙ）、すなわち、ハードウェア、ソフトウェア、実行中のソフトウェア、ファームウェア、ミドルウェア、マイクロコード、および／またはそれらの組合せを指すことが意図される。例えば、構成要素は、プロセッサ上で実行するプロセス、プロセッサ、オブジェクト（ｏｂｊｅｃｔ）、エクセキュータブル（ｅｘｅｃｕｔａｂｌｅ）、実行のスレッド、プログラム、および／またはコンピュータであってよいが、それらであることに限定されない。１つまたは複数の構成要素は、プロセスおよび／または実行のスレッド内に存在してよく、構成要素は１つのコンピュータ上にローカライズされてよくかつ／または２つ以上のコンピュータ間に分布されてもよい。また、これらの構成要素は、その上に記憶された様々なデータ構造を有する様々なコンピュータ可読媒体から実行してもよい。構成要素は、１つまたは複数のデータパケット（例えば、局所システム内、分布システム内、および／または信号を介してその他のシステムを用いたインターネットなどのネットワークを通してもう１つの構成要素と相互作用する１つの構成要素からのデータ）を有する信号に従ってなど、局所および／または遠隔処理によって通信することが可能である。加えて、当業者には理解されるように、本明細書で説明されるシステムの構成要素は、それに関して説明される様々な態様、目標、利点などの達成を円滑にするために、再配置および／または追加の構成要素によって補完することが可能であり、所与の図面に記載された正確な構成に限定されない。
【００１８】
さらに、加入者局に関して様々な実施形態が本明細書で説明される。加入者局は、システム、加入者装置、移動体局、移動体、遠隔局、アクセスポイント、遠隔端末、アクセス端末、ユーザ端末、ユーザエージェント、ユーザ装置、またはユーザ装置と呼ばれる場合もある。加入者局は、移動通信電話、コードレス電話、セッション開始プロトコル（Ｓｅｓｓｉｏｎ  Ｉｎｉｔｉａｔｉｏｎ  Ｐｒｏｔｏｃｏｌ）（ＳＩＰ）電話、無線ローカルループ（ｗｉｒｅｌｅｓｓ  ｌｏｃａｌ  ｌｏｏｐ）（ＷＬＬ）局、携帯情報端末（ＰＤＡ）、無線接続能力を有するハンドヘルド装置、または無線モデムに接続されたその他の処理装置であってよい。
【００１９】
さらに、本明細書で説明される様々な態様または特徴は、標準プログラミングおよび／または工学技術手法を用いた方法、装置、または製品として実施することが可能である。本明細書で使用される用語「製品」は、任意のコンピュータ可読装置、キャリア、または媒体からアクセス可能なコンピュータプログラムを包括することが意図される。例えば、コンピュータ可読媒体は、磁気記憶装置（例えば、ハードディスク、フロッピー（登録商標）ディスク、磁気ストリップ（ｍａｇｎｅｔｉｃ  ｓｔｒｉｐｓ）．．．）、光ディスク（例えば、コンパクトディスク（ＣＤ）、デジタル多目的ディスク（ＤＶＤ）．．．）、スマートカード、およびフラッシュメモリ装置（例えば、カード、スティック、キードライブ．．．）を含んでよいが、これらに限定されない。加えて、本明細書で説明される様々な記憶媒体は、情報を記憶するための１つまたは複数の装置および／またはその他の機械可読媒体を表してよい。用語「機械可読媒体」は、無線チャネルおよび（１つまたは複数の）命令および／またはデータを記憶し、包括し、かつ／または運ぶことが可能なその他の様々な媒体を含んでよいが、これらに限定されない。
【００２０】
次に図１を参照すると、本明細書で提示される様々な実施形態による無線網通信システム１００が例示される。システム１００は、互いにおよび／または１つまたは複数の移動体装置１０４に対して無線通信信号の受信、送信、中継などを行う１つまたは複数のセクタ内に１つまたは複数の基地局１０２を含んでよい。各基地局１０２は、送信機チェーンと受信機チェーンとを含んでよく、当業者には理解されるように、その各々は信号送受信に関連する複数の構成要素（例えば、プロセッサ、変調器、多重装置、復調器、デマルチプレクサ、アンテナなど）を含んでよい。移動体装置１０４は、例えば、移動通信電話、スマート電話、ラップトップ、ハンドヘルド通信装置、ハンドヘルドコンピューティング装置、衛星ラジオ、全地球測位システム、ＰＤＡ、および／または無線網１００上で通信するための任意のその他の適切な装置であってよい。システム１００は、後続の図面に関して記載されるように、無線通信環境で順方向のみ（ＦＬＯ）チャネル間の監視および／または交換を円滑にするために、本明細書で説明される様々な態様に関して用いることが可能である。
【００２１】
例えば、基地局１０２は、複数の異なるＲＦチャネル上でＦＬＯ信号を送信することが可能であり、各基地局１０２は、１つまたは複数のＲＦチャネルを用いることができる。加えてかつ／または代替として、同じＲＦチャネルは２つ以上の基地局１０２によって利用され得る。（１つまたは複数の）ユーザ装置１０４は、その場合、ＦＬＯ信号をブロードキャストするために利用されている複数のＲＦチャネルを監視するために、（例えば、プロセッサ、コンピュータ実行可能命令、コンピュータ可読メモリ、．．．を介して）１つまたは複数のアルゴリズムおよび／または方法を用いることができ、１つまたは複数の基地局１０２とユーザ装置１０４の間の通信スループットを改善するために、ＲＦチャネル間で交換することが可能である。
【００２２】
次に図２を参照すると、１つまたは複数の実施形態による多元接続無線通信システム２００が例示される。システム２００は、例示の目的のために提示され、下で記載される様々な態様に関して利用することが可能である。３セクタ基地局２０２は、複数のアンテナグループを含む。すなわち、１つのグループはアンテナ２０４と２０６とを含み、もう１つのグループはアンテナ２０８と２１０とを含み、第３のグループはアンテナ２１２と２１４とを含む。図によれば、各アンテナグループに関して２本のアンテナだけが示されるが、各アンテナグループに関してより多くのまたはより少ないアンテナが利用されてもよい。移動体装置２１６はアンテナ２１２および２１４と通信しており、アンテナ２１２および２１４は順方向リンク２２０上で移動体装置２１６に情報を送信し、逆方向リンク２１８上で移動体装置２１６から情報を受信する。移動体装置２２２はアンテナ２０４および２０６と通信しており、アンテナ２０４および２０６は順方向リンク２２６上で移動体装置２２２に情報を送信し、逆方向リンク２２４上で移動体装置２２２から情報を受信する。
【００２３】
アンテナの各グループおよび／またはアンテナが通信のために指定される領域は、多くの場合、基地局２０２のセクタと呼ばれる。一実施形態では、各アンテナグループは、基地局２０２によってカバーされる領域のセクタ内の移動体装置と通信するように設計される。順方向リンク２２０および２２６上の通信において、基地局２０２の送信アンテナは、異なる移動体装置２１６および２２２に関して順方向リンクのＳＮ比を改善するために、ビーム形成技術を利用することが可能である。加えて、その受信可能範囲全体にわたって不規則に散乱した移動体装置に送信するためにビーム形成を使用する基地局は、単一のアンテナを介してその受信可能範囲内のすべての移動体装置に送信する基地局よりも、隣り合うセル／セクタ内の移動体装置に少ない干渉を引き起こす。基地局は、端末との通信のために使用される固定局であってよく、アクセスポイント、ノードＢ、または何らかのその他の専門用語で呼ばれる場合がある。移動体装置は、移動体局、ユーザ装置（ＵＥ）、無線通信装置、端末、アクセス端末、ユーザ装置、または何らかのその他の専門用語で呼ばれる場合がある。
【００２４】
１つまたは複数の態様によれば、ユーザ装置２１６などのユーザ装置は、（例えば、順方向リンク２２０、．．．上で送信された）ＦＬＯ信号を含む複数のＲＦチャネルを監視することが可能であり、ユーザ装置２１６での受信を最適化するためにかかるチャネル間で交換することができる。ＦＬＯ信号は、通常、通信システムのより低い７００ＭＨｚ周波数帯域内のおよそ６ＭＨｚの帯域幅のチャネルを占有することが目標とされる。コンテンツのより多くの流れを収容するためにＦＬＯ信号が２つ以上の無線周波数（ＲＦ）チャネル内に存在する場合、異なるＲＦチャネルの監視、獲得、および当該チャネルへの交換の課題を調査することが所望される可能性がある。（例えば、ユーザ装置内の）受信機が新しいＦＬＯ  ＲＦチャネルの監視および当該チャネルへの交換を開始することができるシナリオはいくつかある。例えば、受信機は、現在のＦＬＯ  ＲＦチャネル上で生じる可能性がある、再獲得という状況に関してロック外れなど、深刻な失敗時にチャネルの監視および／または交換を開始することが可能である。もう１つの例によれば、アプリケーション層の開始時にＦＬＯ  ＲＦチャネルの開始および／または監視を行うことが所望される可能性がある。もう１つの例は、受信機のアイドルモードの間の新しいＲＦチャネルの監視および／または交換に関する。しかももう１つの例は、（例えば、周期的、受信品質に依存する（ｒｅｃｅｐｔｉｏｎ  ｑｕａｌｉｔｙ  ｄｅｐｅｎｄｅｎｔ）、．．．）新しいＲＦチャネルのバックグラウンド監視に関する。
【００２５】
新しいチャネルの監視を開始する前に、その間で受信機がＦＬＯ信号に関して探索できるＲＦチャネルのリストが受信機に提供され得る。この初期のリストは、制御チャネルメッセージの復号によってＦＬＯネットワークから取得され得る。ネットワークは、所定のスケジュール（例えば、スーパーフレームごとに１回、．．．）に従って制御チャネルを介してＲＦ説明メッセージをＦＬＯ受信機にブロードキャストすることができる。かかる情報をＦＬＯ受信機に提供することを円滑にするために、複数の情報フィールドが定義および／または生成され（ｐｏｐｕｌａｔｅｄ）てよい。例えば、「ＲＦチャネルカウント」フィールドは、ＦＬＯブロードキャストを有するいくつかのＲＦチャネルを含んでよい。ＲＦチャネルＩＤ、周波数、およびチャネルプランに関するフィールドは、ＲＦチャネルカウント内で表示されたＲＦチャネルのチャネル識別子、中心周波数、およびチャネル帯域幅に関する情報をそれぞれ含んでよい。受信機は、これらのＲＦチャネル候補上でＦＬＯ信号を探索することができ、ＦＬＯブロードキャストが実際に利用可能であるか、またはかかるチャネル上で復号可能であるか判定することができる。
【００２６】
図３〜５を参照すると、ＦＬＯ信号検出に関する方法が例示される。例えば、方法は、ＦＤＭＡ環境、ＯＦＤＭＡ環境、ＣＤＭＡ環境、ＷＣＤＭＡ環境、ＴＤＭＡ環境、ＳＤＭＡ環境、または任意のその他の適切な無線環境でのＦＬＯ  ＲＦチャネル間の監視、検出、および／または交換に関する可能性がある。説明を簡単にするために、方法は一連の動作として示されかつ説明されるが、１つまたは複数の実施形態によれば、いくつかの動作は本明細書で示されかつ説明されるその動作と異なる順序でかつ／またはその他の動作と同時に発生する場合があるため、方法は動作の順序によって限定されない点を理解および認識されたい。例えば、当業者は、代替として方法が、状態ブロック図でなど、一連の相互関係のある状態または事象として表される場合がある点を理解および認識されよう。さらに、１つまたは複数の実施形態によれば、例示されたすべての動作が方法を実行するよう要求されるとは限らない場合がある。
【００２７】
かかる方法によれば、新しいＲＦチャネルの監視は、例えば、現在のＲＦチャネル上での再獲得という状況に関してロック外れなど、ＦＬＯ動作の一連の失敗の後に開始することが可能である。例えば、受信機は元のＲＦチャネル（例えば、失われたチャネル）上で受信を再獲得することを試みることができる。元のチャネルに関して再獲得タイムアウト範囲内で信号ロックが取得されない場合、受信機は制御チャネルメッセージから取得された候補リストに関して新しいＲＦチャネルを監視し始めることが可能である。元のチャネルのかかるロックはすでに失われているため、データチャネル（ＤＣ）、自動利得制御（ＡＧＣ）、自動周波数制御（ＡＦＣ）、および元のＦＬＯチャネルのタイミングなど、ブロックの主要なパラメータを記憶および回復する必要はない。受信機は新しいＲＦチャネルに交換して、ＦＬＯ信号の検出を再開することができる。
【００２８】
図３は、本明細書で提示される様々な態様による、ＦＬＯ信号検出を実行するための方法３００の例示である。ＦＬＯサービスがＲＦチャネル上で利用可能であるかどうか判定するために、ＦＬＯ検出を開始することが可能であり、３０２で、時分割多重（ＴＤＭ）パイロット検出タイマは第１のＴＤＭパイロット（ＴＤＭ１）の検出を試みることができ、そこでＣＴＤＭ１に関してタイマカウントは０で開始され得る。３０４で、ＴＤＭ１が検出される可能性があり、カウンタＣＴＤＭ１は増分され得る。
【００２９】
３０６で、カウンタ値が追求されているパイロットの値より大きいかどうかに関して、決定することが可能である。例えば、追求されているパイロットがＴＤＭ１であり、３０４でカウンタが０から１に増分された場合、カウンタ値は追求されているパイロット値を超えない（例えば、この例では、値は等しい）ことが決定されることになり、方法はパイロットＴＤＭ１の検出でのもう１つの試みのために３０４に戻ることが可能である。加えて、３０６で、パイロットは首尾よく検出されたかどうかに関して決定することが可能である。決定が否定的である場合、方法は同様に３０４に戻ることができ、パイロット検出を再度試みることが可能である。パイロットが検出された場合、方法は３０８に進むことができ、そこでカウンタ値とパイロット値の比較が再評価される。例えば、方法３００の特定の反復に関してカウンタ値が３であり、追求されているパイロットがＴＤＭ２（第２のＴＤＭパイロット）である場合、カウンタは追求されているパイロットの値よりも進んでおり、方法は３１６に進むことができ、そこでＦＬＯ信号は検出されないという表示が生成される。追求されているパイロットの値がカウンタ値以下である場合、方法は３１０に進むことができる。３０８でのカウンタ値とパイロット値の比較の再評価は、カウンタ値が３０６で追求されているパイロットに関連する値より大きいと決定され、パイロットが３０６で検出されない場合には実行される必要がない点が理解されるであろう。むしろ、そのような場合には、方法は３１０に直接進むことができる。
【００３０】
３１０で、遅れパイロット検出アルゴリズム（例えば、ＴＤＭ１＿ＬＡＴＥ＿ＤＥＴＥＣＴ）を使用すべきかどうかに関して決定され得る。遅れ検出アルゴリズムは、所定の時間ＴＴＤＭ１（例えば、ＴＤＭ１パイロット検出タイムアウト）の後にアサートされる可能性があり、かかるアサート時に、方法はパイロット検出のために３０４に戻ることができる。遅れ検出アルゴリズムが用いられない場合、３１２で、分析されている伝送に関連する広域識別性（ＷＩＤ）チャネルに関してエネルギーレベルを確認し、所定の閾値のエネルギーレベルと比較することが可能である。検出されたＷＩＤエネルギーが所定の閾値レベルを超えない場合、３１６でＦＬＯ信号は検出されない。検出されたＷＩＤエネルギーが閾値より大きい場合、３１４で、ＦＬＯ信号は検出される。方法３００は反復的であり、例えば、ＦＬＯ信号検出を円滑にするために無線通信環境で通信するユーザ装置によって繰返しかつ／または連続的に実行され得る点が理解されるであろう。
【００３１】
図４は、様々な態様による、無線通信環境でＦＬＯ信号を検出するための方法４００の例示である。ＦＬＯ検出を開始することが可能であり、４０２で、ＴＤＭパイロット検出タイマは、ＴＤＭパイロット（ＴＤＭ１）の検出を試みることができ、そこでＣＴＤＭ１に関してタイマカウントが開始されて、０に設定することが可能である。４０４で、ＴＤＭ１を検出しようと試みることが可能であり、カウンタＣＴＤＭ１は増分され得る。４０６で、カウンタ値は追求されているパイロットの値より大きいかどうかに関して判定することが可能である。例えば、追求されているパイロットがＴＤＭ１であり、４０４でカウンタが０から１に増分された場合、４０６で、カウンタ値が追求されているパイロットの値より大きくないと決定することが可能であり、方法はパイロットＴＤＭ１の検出でのもう１つの試行のために４０４に戻ることができる。加えて、４０６で、パイロットが実際に首尾よく検出されたかどうかに関して決定され得る。決定が否定的である場合、方法は同様に４０４に戻り、そこで、パイロット検出を再度試みることが可能である。決定が肯定的である場合、方法は４０８に進むことができ、そこで、カウンタ値とパイロット値の比較が再評価され得る。例えば、方法４００の特定の反復に関してカウンタ値が３であり、追求されているパイロットがＴＤＭ２（第２のＴＤＭパイロット）である場合、カウンタは追求されているパイロットの値よりも進んでおり、方法は４１６に進むことができ、そこで、ＦＬＯ信号は検出されないという表示が生成され得る。追求されているパイロットの値がカウンタ値以下である場合、方法は４１０に進むことができる。４０８でのカウンタ値とパイロット値の比較の再評価は、４０６で、カウンタ値が追求されているパイロットに関連する値より大きいことが決定され、パイロットが４０６で検出されない場合、実行される必要がない点が理解されるであろう。むしろ、そのような場合には、方法は４１０に直接進むことができる。
【００３２】
遅れパイロット検出アルゴリズム（例えば、ＴＤＭ１＿ＬＡＴＥ＿ＤＥＴＥＣＴ）を使用すべきかどうかに関して、４１０で判定することが可能である。遅れ検出アルゴリズムは、所定の時間ＴＴＤＭ１（例えば、ＴＤＭ１パイロット検出タイムアウト）の後にアサートされること可能性があり、かかるアサート時に、方法はパイロット検出のために４０４に戻ることができる。遅れ検出アルゴリズムが用いられない場合、４１２で、（例えば、伝送に関連するＷＩＤの検出時に）分析されている伝送の際に広域オーバヘッド情報記号（ＷＯＩＳ）の復号の間に誤りが生じたかどうかに関して判定することが可能である。誤りが生じた場合、４１６で、ＦＬＯ信号は検出されない。ＷＯＩＳの復号の間に誤りが生じていない場合、４１４で、ＦＬＯ信号は検出される。方法４００は反復的であり、例えば、ＦＬＯ信号検出を円滑にするために無線通信環境で通信するユーザ装置によって繰返しかつ／または連続的に実行され得る点が理解されるであろう。
【００３３】
図５は、様々な態様による、ＦＬＯ信号を検出するための方法５００の例示である。ＦＬＯ信号検出の開始時に、ＴＤＭ１検出タイマを開始することが可能であり、ＴＤＭパイロット検出タイマはＴＤＭパイロット（ＴＤＭ１）の検出を試みることができ、そこでＣＴＤＭ１に関してタイマカウントが開始され、５０２で０に設定することが可能である。５０４で、ＴＤＭ１検出を試みることが可能であり、カウンタＣＴＤＭ１は増分され得る。５０６で、カウンタ値が追求されているパイロットの値より大きいかどうかに関して決定され得る。例えば、追求されているパイロットがＴＤＭ１であり、５０４でカウンタが０から１に増分された場合、５０６で、カウンタ値は追求されているパイロットの値未満であると決定することが可能であり、方法はパイロットＴＤＭ１の検出でのもう１つの試みのために５０４に戻ることができる。加えて、５０６で、パイロットが実際に首尾よく検出されたかどうかに関して決定され得る。パイロットが検出されないことが決定された場合、方法は同様に５０４に戻ることができ、そこで、パイロット検出を再度試みることが可能である。決定がパイロット検出は成功したことを示す場合、方法は５０８に進むことができ、そこで、カウンタ値とパイロット値の比較が再評価され得る。例えば、方法５００の特定の反復に関してカウンタ値が２であり、追求されているパイロットがＴＤＭ１（第１のＴＤＭパイロット）である場合、カウンタは追求されているパイロットの値よりも進んでおり、方法は５１６に進むことができ、そこで、ＦＬＯ信号が検出されないという表示が生成され得る。追求されているパイロットの値がカウンタ値以下である場合、方法は５１０に進むことができる。５０８でのカウンタ値とパイロット値の比較の再評価は、５０６でカウンタ値が追求されているパイロットに関連する値より大きいものと決定され、パイロットが５０６で検出されない場合には実行される必要がない点が理解されるであろう。むしろ、そのような場合には、方法は５１０に直接進むことができる。
【００３４】
５１０で、遅れパイロット検出アルゴリズム（例えば、ＴＤＭ１＿ＬＡＴＥ＿ＤＥＴＥＣＴ）を使用すべきかどうかに関して決定され得る。遅れ検出アルゴリズムは、所定の時間ＴＴＤＭ１（例えば、ＴＤＭ１パイロット検出タイムアウト）の後にアサートされる可能性があり、かかるアサート時に、方法はパイロット検出のために５０４に戻ることができる。遅れ検出アルゴリズムが用いられない場合、５１２で、分析されている伝送に関連する広域識別性（ＷＩＤ）チャネルに関してエネルギーレベルを確認し、所定の閾値のエネルギーレベルと比較することが可能である。検出されたＷＩＤエネルギーが所定の閾値レベルより大きくない場合、５１６で、ＦＬＯ信号は検出されないとの結論を引き出すことが可能である。検出されたＷＩＤエネルギーが閾値より大きい場合、５１４で、（例えば、伝送に関連するＷＩＤの検出時に）分析されている、伝送におけるＷＯＩＳの復号の間に誤りが生じたかどうかに関して判定することが可能である。誤りが生じた場合、５１６で、ＦＬＯ信号は検出されないとの結論を下すことができる。ＷＯＩＳの復号の間に誤りが生じなかった場合、５１８で、ＦＬＯ信号が検出されたとの結論を引き出すことが可能である。方法５００は反復的であり、例えば、ＦＬＯ信号検出を円滑にするために無線通信環境で通信するユーザ装置によって繰返しかつ／または連続的に実行され得る点が理解されるであろう。
【００３５】
したがって、方法３００、４００、および／または５００のうちの１つまたは複数によれば、ＦＬＯサービスがもう１つのＲＦチャネル上で利用可能かどうか判定することが実行され得る。すべての手法は、まずＴＤＭパイロット１（ＴＤＭ１）の検出を試みる。ＴＤＭパイロット１検出が失敗した場合、または所定の期間ＴＴＤＭ１（ＴＤＭパイロット１検出タイムアウト）の後にＴＤＭ１＿ＬＡＴＥ＿ＤＥＴＥＣＴがアサートされた場合、ＦＬＯサービスは調査されているＲＦチャネル上で利用可能でないことが決定され得る。ＴＴＤＭ１の選択は監視モードに依存する。
【００３６】
ＷＩＤ検出に関して、ＴＤＭパイロット１が首尾よく検出された場合、ＦＬＯ信号探索方法３００は、最も可能性の高い仮定のエネルギーを所定の閾値と比較する。ＷＩＤエネルギーが閾値より高い場合、ＦＬＯサービスは利用可能であると判断される。ＦＬＯ探索方法４００の場合、ＷＩＤの検出後、受信機はＷＯＩＳパケットの復号に進む。例えば、ＦＬＯの存在を決定するための基準としてＷＯＩＳターボ復号ＰＥＲが使用されてよい。ＦＣＳ（フレームチェックシーケンス）がターボ復号器アウトプットでＷＯＩＳについていかなる誤ったパケットも検出しない場合、ＦＬＯサービスはＲＦチャネルに関して利用可能であると宣言される。ＦＬＯ探索方法５００は方法３００と４００の組合せである。ＴＤＭパイロット１検出後、ＷＩＤ検出が閾値より弱いエネルギーを戻す場合、ＦＬＯ信号が新しいチャネル上で利用可能でないと宣言することが可能である。代わりに検出されたＷＩＤエネルギーが閾値より高い場合、受信機はＷＯＩＳの復号を続けて、検出基準としてターボ復号ＰＥＲを使用する。
【００３７】
受信機の消費電力を節約するために、早期終了条件として新しいチャネル上の受信信号強度指示器（ｒｅｃｅｉｖｅｄ  ｓｉｇｎａｌ  ｓｔｒｅｎｇｔｈ  ｉｎｄｉｃａｔｏｒ）（ＲＳＳＩ）が使用されてよい。例えば、新しいチャネルへの交換および直流（ＤＣ）と自動利得制御（ＡＧＣ）の獲得の後、受信機はまずデジタル可変利得増幅器（ｄｉｇｉｔａｌ  ｖａｒｉａｂｌｅ  ｇａｉｎ  ａｍｐｌｉｆｉｅｒ）（ＤＶＧＡ）ループアキュムレータとＡＧＣ利得状態情報とに基づいて新しいチャネルのＲＳＳＩを計算する。ＲＳＳＩが所定の閾値より高い場合、受信機は３つの探索手順のうちの１つ（例えば、方法３００、４００、または５００）の実行に進むことができる。そうでない場合、ＦＬＯは新しいチャネル上で利用可能でないと宣言され得る。
【００３８】
本明細書で説明される１つまたは複数の態様によれば、チャネル監視、ＦＬＯ信号検出、ＲＦチャネル交換などに関して推測され得ることが理解されるであろう。本明細書で使用されるように、用語「推測する」または「推論」は、一般に、事象および／またはデータを経由して捕捉された考察のセットからのシステム、環境、および／またはユーザについての推測プロセスまたは推測状態を指す。推論は、特定のコンテキストまたは動作を識別するために用いることが可能であり、または、例えば、状態に関して可能性分布を生成することができる。推論は確率、すなわち、データおよび事象の考慮事項に基づく当該状態に関する可能性分布の計算であり得る。推論はまた、事象および／またはデータのセットからより高いレベルの事象を作成するために用いられる技術を指す場合もある。かかる推論は、事象が密接な時間的近接性（ｃｌｏｓｅ  ｔｅｍｐｏｒａｌ  ｐｒｏｘｉｍｉｔｙ）で相関していようとなかろうと、かつ事象とデータとが１つの事象およびデータのソースから来たものであろうとまたはいくつかの事象およびデータのソースから来たものであろうと、結果として、観測された事象および／または記憶された事象データのセットから新しい事象または動作の構成を生み出す。
【００３９】
一実施例によれば、上に提示された１つまたは方法は、信号強度などの外因的情報に基づいてＲＦチャネル周波数間で交換するかどうかに関して推論を出すことを含んでよい。例えば、現在のＲＦチャネルに関連する電力レベルは、連続的にかつ／または周期的に監視することが可能である。ユーザ装置が無線通信システムのセクタまたは領域を進む（例えば、ユーザ装置がＲＦ伝送のソースに向かって移動する）につれて、（例えば、受信機、プロセッサ、．．．によって）電力レベルが増加すると決定することが可能であり、その場合、現在、チャネル交換は必要でないという推論が下され得る。関連する実施例によれば、ＲＦチャネル電力レベルの評価は、ユーザ装置が受信可能範囲を進む（例えば、ユーザ装置がＲＦ伝送のソースから離れる）につれてチャネル電力が減ることを示すことができ、その場合、新しいＲＦチャネルへの交換は差し迫って所望されることになるとの推論を下すことが可能であり、それに関連する動作を開始することができる。かかる推論は、例えば、チャネル交換が所望されるかどうかを査定するために検出された電力レベルを所定の閾値の電力レベルと比較することに基づいてよい。加えてかつ／または代替として、連続する各電力レベル評価は、ユーザ装置が１つまたは複数の受信可能範囲を進むにつれて電力レベル傾向情報を提供するために、１つまたは複数の直前の電力レベルと比較されてよい。前述の実施例は、本質的に例示的であり、下され得る推論の数または本明細書で説明される様々な実施形態および／または方法に関してかかる推論が下される方法を限定することが意図されない点が理解されるであろう。
【００４０】
図６は、１つまたは複数の態様による、提案されたＦＬＯ探索方式を用いたロック外れベースの監視方法およびアプリケーション層によって開始された監視方法のタイムライン６００の例示である。図によれば、ＤＣ獲得６０２は、ロック外れまたはユーザ開始によってトリガされ得る、ＲＦ交換および整定時間の期間の後に発生することが可能である。ＡＧＣ獲得ブロック６０４は、その後でＲＳＳＩエネルギーが所定の閾値未満であるかどうかに関して決定され得るＤＣ獲得６０２に続く。決定が肯定的である場合、ＦＬＯ信号は検出されないとの結論が下され得る。
【００４１】
その後で、ＷＩＤチャネル（ＷＩＣ）６０８伝送の間、ＦＬＯ信号検出が評価され得る、ＴＤＭパイロット１検出のための期間ＴＴＤＭ１を表すＴＤＭ１ブロック６０６が例示される。ＴＴＤＭ１の終了時点で検出が失敗した場合、そのような表示が行われ得る。ローカルエリアＩＤチャネル（ＬＩＣ）ブロック６１０は、その間に、特定のＦＬＯ信号検出方式に応じて様々な動作および／または査定が実行され得るＷＩＣブロック６０８に続く。例えば、方法３００に関して、検出されたＷＩＤエネルギーが所定の閾値レベル以上であるかどうかに関して判定することが可能であり、その場合、ＦＬＯ信号が首尾よく検出されたとの結論が引き出され得る。関連する実施例によれば、方法５００に関して、ＷＩＤエネルギーが所定の閾値以上であると決定された場合、ＷＯＩＳの復号と分析とが実行され得る。あるいは、ＷＩＤエネルギーが閾値未満であると決定された場合、ＦＬＯ信号が検出されないと決定することが可能である。
【００４２】
ＴＤＭ２ブロックは、その後で、６１６でＷＯＩＳ復号に関してチャネル推定の実行を円滑にするために広域遷移パイロットチャネル６１４が評価され得る、ＴＤＭパイロット２の検出期間を定義する６１２で示される。方法４００および５００の場合、ＷＯＩＳターボパケット誤り率（ＰＥＲ）がゼロに等しいかどうかに関して決定され得る。そうである場合、ＦＬＯ信号は首尾よく検出された。そうでない場合、ＦＬＯ信号は首尾よく検出されないとの結論が下され得る。
【００４３】
図７は、１つまたは複数の態様による、ＦＬＯチャネル監視のためのハイレベル状態の遷移ブロック図７００を例示する。７０２で、元のＲＦチャネルが復号され得る。ロック外れの発生時に、またはアプリケーション層によって開始された監視時に、７０４で、新しいＲＦチャネルに関してＦＬＯ信号探索が開始され得る。新しいチャネル監視の完了時に、７０６で、さらなる命令が待ち受ける可能性がある。もう１つの態様によれば、７０６で、その上でＦＬＯ信号が検出される第１のチャネルの復号が始まることが可能である。
【００４４】
先の図に関して、ロック外れベースの監視の場合、ＦＬＯ信号探索のすべての手法が適用され得る。その間にＲＦ回路が新しいチャネルに交換する期間に続いて、新しいチャネルに関してＤＣブロックおよびＡＧＣブロックの獲得のために２個のＯＦＤＭ記号が使用されてよい。探索方式によってＦＬＯサービスが利用可能であることが決定された場合、新しいＦＬＯ信号の復調が開始され得る。ＲＦ交換および整定時間は、例えば、およそ５ｍｓであり、これは１秒のスーパーフレーム期間と比較してほんのわずかである。新しいチャネル上でＦＬＯ信号が利用可能である場合、ＴＤＭパイロット１の次の発生までの待ち時間は最高で１秒である可能性があり、したがって、ＴＤＭパイロット１検出タイムアウトＴＴＤＭ１はおよそ１秒と予め決めることができる。
【００４５】
新しいチャネルの監視はまた、アプリケーション層によっても開始され得る。例えば、ソフトウェアは新しいＲＦチャネルを監視するように命令を発行することができ、元のチャネルの復号および／またはビデオ再生が結果として終了され得る。ロック外れベースの監視のように、元のＦＬＯチャネルに関する主要なパラメータは復元される必要がなく、ＦＬＯ信号探索方法３００、４００、および／または５００のいずれかが用いられてよい。ロック外れベースの監視について行われた考慮は、このシナリオでも適用可能である。
【００４６】
図８〜１０は、本明細書で提示される１つまたは複数のＦＬＯ信号検出方法に関連するＲＦチャネルのバックグラウンド監視に関する。例えば、受信機は、バックグラウンドで、現在のＲＦチャネルの復号を妨げずに、制御チャネルから受信されたリストに関して新しいチャネルを監視することができる。実施例によれば、異なるＲＦチャネル上のＦＬＯ信号がスーパーフレーム同期化されることが想定され得る。そのような場合、受信機は新しいＲＦチャネル上で次に期待されるＴＤＭパイロット１の知識を即時に有することができ、その結果、受信機は適切な時期にＲＦ回路を新しい周波数に交換することができる。元のチャネルに関する復号は悪影響を与えられるべきでないため、影響を及ぼす複数レベルの符号化された区分（ＭＬＣ）をフレーム１の始まり近くに抑圧するように、ＴＤＭパイロット１検出タイムアウトＴＴＤＭ１サイズは所定のサイズ範囲内に維持されることが可能である。例えば、ＴＤＭパイロット１が期待された時期に検出されない場合、追求されたＦＬＯ信号が利用不可能であると宣言され、受信機は速やかに元のチャネルに交換することができるよう、ＴＴＤＭ１はゼロに設定されてよい。異なるＲＦチャネルの見逃しタイミングオフセット（ｒｅｓｉｄｕａｌ  ｔｉｍｉｎｇ  ｏｆｆｓｅｔ）（例えば、およそ１００マイクロ秒程度）を収容するために、ＴＴＤＭ１は１個のＯＦＤＭ記号期間となるように選択されてもよい。
【００４７】
ＲＦ回路は、次に期待されるＴＤＭパイロット１の前におよそＴＳｅｔｔｌｅ＋ＴＤＣＡｃｑ＋ＴＡＧＣＡｃｑで交換されることが可能であり、ＴＳｅｔｔｌｅはＲＦ整定時間であり、ＴＤＣＡｃｑはＤＣ獲得に関する１個のＯＦＤＭ記号期間であり、ＴＡＧＣＡｃｑはＡＧＣ獲得に関する１個のＯＦＤＭ記号期間である。元のチャネルの場合、受信機が新しいＲＦチャネルに関して動作する時間の間に予定された任意のＭＬＣは受信されないことになる（元のチャネル用の「ブラックアウト（ｂｌａｃｋ−ｏｕｔ）」時間）。これはフレーム４の終りに近いＭＬＣだけに影響を与えることになる。「ブラックアウト」期間の最低期間は、ＲＦ交換／整定時間と、２個のＯＦＤＭ記号期間（例えば、ＤＣおよびＡＧＣの獲得）の合計によって与えられる。ＲＦ交換と整定時間の５ｍｓの公称期間の場合、最低「ブラックアウト」期間は、およそ８個のＯＦＤＭ記号期間である。良好な（ｂｅｎｉｇｎ）チャネル状態の場合、フレーム１、２、および３から受信されたパケットに基づいて、例えば、リードソロモン外部符号の実施によって、影響を受けたコードブロックは依然として正確に復号することが可能である。したがって、極端でない（ｎｏｎ−ｅｘｔｒｅｍｅ）チャネル条件とフレームの終り近くに予定されたコードブロック（ｃｏｄｅ  ｂｌｏｃｋ）とに基づいて、受信機性能は悪影響を受けないことになる。およそ８個の記号の「ブラックアウト」期間の影響はまた、スーパーフレームの終りに配置されたＰＰＣ（ポジショニングパイロットチャネル）（Ｐｏｓｉｔｉｏｎｉｎｇ  Ｐｉｌｏｔ  Ｃｈａｎｎｅｌ）記号の数にも依存する。６、１０、１４など、非ゼロ数のＰＰＣ記号の場合、フレーム４の終りでの「ブラックアウト」期間に関連する任意の否定的な影響はさらに削減され得る。
【００４８】
バックグラウンド監視は、アプリケーション層によって開始され得る。他方で、その開始は受信品質に依存する場合がある。例えば、受信機は、元のチャネルに関する受信が低い品質のものである（例えば、所定の閾値レベル未満である、．．．）場合、新しいＲＦチャネルのバックグラウンド監視を開始することができる。受信品質は、ＲＳＳＩがある閾値未満である場合、パケット消去率がある閾値より高い場合などに、低いものと決定され得る。周期的に、バックグラウンド監視によって決定されたＦＬＯサービスを有するＲＦチャネルのリストは、ソフトウェアに戻され、次いで、ソフトウェアは新しいチャネルのうちの１つへの交換を開始することができる。受信機消費電力を節約するために、ＲＦ回路交換と整定時間の間、Σ−Δ型Ａ／Ｄに続くデジタルベースバンドブロックを停止することが可能である。受信機が新しいＲＦチャネルを監視する速度は可変であってよい。最高速度は、フレーム４内のスーパーフレームごとに１つの新しいチャネルが監視されるようなものであってよい。受信機の消費電力をさらに保護するために、バックグラウンド監視は、いくつかのスーパーフレームごとに１回発生してもよい。新しいチャネルの監視はまた、ＦＬＯ受信機が、ロック外れベースの監視またはアプリケーション層によって開始された監視に類似したアイドルモード（いかなるＦＬＯ信号も復号しない）である場合に開始されてもよい。したがって、それらのシナリオについて行われた考慮が適用可能である。
【００４９】
図８は、１つまたは複数の態様による、ＷＩＤエネルギーベースのＦＬＯ信号検出方法を用いてバックグラウンド監視を実行するためのタイムライン８００を例示する。例えば、タイムライン８００は、上で説明された方法３００に関連して見ることが可能である。「レジスタ記憶」期間ブロック８０２の間、元のＲＦチャネルに関連するレジスタが記憶され得る。ＲＦチャネル交換と整定（例えば、およそ５ｍｓ）の後、その間に、新しいＲＦチャネルに関連するＤＣ構成要素が除去され得るＤＣ獲得ブロック８０４が例示される。ＤＣ獲得ブロック８０４の次に、その間に、利得制御情報が評価され得るＡＧＣ獲得ブロック８０６が続く。ＴＤＭ１ブロック８０８は、その間に第１のパイロット（ＴＤＭパイロット１）の検出を試みることが可能である期間ＴＴＤＭ１を定義する。この期間の間、特定のＲＦチャネルに関してＲＳＳＩが所定の閾値未満であるかどうかについて判定することが可能である。そうである場合、ＦＬＯ信号はＲＦチャネル内に存在しないとの結論が下され得る。ＴＤＭ１ブロック８０８の後に、その間に、ＴＴＤＭ１の間にパイロットが検出されない場合、ＦＬＯ信号はＲＦチャネル内に存在しないとの結論が引き出され得るＷＩＣブロック８１０が時を違えずに続く。ＬＩＣブロック８１２の間に、ブロック８１０の間に検出されたＷＩＤエネルギーの評価が実行され得る。ＷＩＤエネルギーが所定の閾値以上であると決定された場合、ＦＬＯ信号は首尾よく検出される。そうでない場合、現在のＲＦチャネル内でＦＬＯ信号は検出されないとの想定が下され得る。もう１つのＲＦ交換と整定期間の後、ブロック８１４で、レジスタを復元することができ、動作が再開され得る。動作の再開は、例えば、その中でＦＬＯ信号が検出されたＲＦチャネル上で通信を再開すること、ＦＬＯ信号が検出されない場合、ＦＬＯ信号検出のもう１つの反復を実行することなどを含んでもよい。
【００５０】
図９は、１つまたは複数の態様による、ＷＯＩＳ−ＰＥＲベースのＦＬＯ信号検出方法を用いてバックグラウンド監視を実行するためのタイムライン９００を例示する。例えば、タイムライン９００は、上で説明された方法４００に関連して見ることが可能である。その中で、元のＲＦチャネルに関連するレジスタが記憶され得る「レジスタ記憶」期間ブロック９０２が示される。その間にＲＦチャネル交換と整定が生じる期間（例えば、およそ５ｍｓ）の後、その間に、新しいＲＦチャネルに関連するＤＣ構成要素が除去され得るＤＣ獲得ブロック９０４が例示される。ＤＣ獲得ブロック９０４の後に、その間に、利得制御情報が査定および／または評価され得るＡＧＣ獲得ブロック９０６が続く。ＴＤＭ１ブロック９０８は、その間に、パイロット（ＴＤＭパイロット１）の検出を試みることが可能である期間ＴＴＤＭ１に対応する。この期間の間、特定のＲＦチャネルに関してＲＳＳＩは所定の閾値未満であるかどうかについて判定することが可能である。そうである場合、ＦＬＯ信号は現在のＲＦチャネル内に存在しないと判断される。ＴＤＭ１ブロック９０８の後には、その間に、パイロットがＴＴＤＭ１の間に検出されない場合、ＦＬＯ信号はＲＦチャネル内に存在しないとの結論が引き出され得るＷＩＣブロック９１０が続く。
【００５１】
ＷＩＣブロック９１０の後には、図６に関して上で説明されたものと類似した方法で、ＬＩＣブロック９１２と、ＴＤＭ２ブロック９１４と、ＷＴＰＣブロック９１６と、ＷＯＩＳブロック９１８とが続いてよい。ＷＯＩＳブロックの終了時に、ＷＯＩＳターボＰＥＲがゼロに等しいかどうかに関して判定することが可能であり、その場合、ＦＬＯ信号は検出される。ＷＯＩＳ  ＰＥＲがゼロに等しくない場合、ＦＬＯ信号は検出されない。もう１つのＲＦ交換および整定期間の後、ブロック９２０で、レジスタを復元することができ、もう１つの動作を再開することが可能である。動作の再開は、例えば、その中でＦＬＯ信号が検出されたＲＦチャネル上で通信を再開すること、ＦＬＯ信号が検出されない場合、ＦＬＯ信号検出のもう１つの反復を実行することなどを含んでもよい。
【００５２】
図１０は、１つまたは複数の態様による、組み合わされたＷＩＤエネルギーベースおよびＷＯＩＳ−ＰＥＲベースのＦＬＯ信号検出方法を用いてバックグラウンド監視を実行するためのタイムライン１０００を例示する。例えば、タイムライン１０００は、上で説明された方法５００に関連して見ることが可能である。その間に、元のＲＦチャネルに関連するレジスタが記憶され得る「レジスタ記憶」期間ブロック１００２が示される。その間、ＲＦチャネル交換および整定が発生する期間（例えば、およそ５ｍｓ）の後、その間に、新しいＲＦチャネルに関連するＤＣ構成要素が除去され得るＤＣ獲得ブロック１００４が例示される。ＤＣ獲得ブロック１００４の後には、その間に、利得制御情報が取り出されかつ／または評価され得るＡＧＣ獲得ブロック９０６が続く。その間に、パイロット（ＴＤＭパイロット１）の検出を試みることが可能な期間ＴＴＤＭ１に対応するＴＤＭ１ブロック１００８は、ＡＧＣ獲得ブロックに続く。期間ＴＴＤＭ１の間、特定のＲＦチャネルに関してＲＳＳＩが所定の閾値未満であるかどうかを査定するために、そのＲＳＳＩを評価することが可能である。そうである場合、ＦＬＯ信号は現在のＲＦチャネル内に存在しないと判断される。ＴＤＭ１ブロック１００８の後には、その間に、ＴＴＤＭ１の間、パイロットが検出されない場合、ＦＬＯ信号はＲＦチャネル内に存在しないとの結論が引き出され得るＷＩＣブロック１０１０が続く。
【００５３】
ＷＩＣブロック１０１０の後には、その間に、ＷＩＣブロック１０１０の間に検出されたＷＩＤエネルギーが所定の閾値以上であるかどうか判定するために、当該ＷＩＤエネルギーが査定され得るＬＩＣブロック１０１２が続いてよい。決定がＷＩＤエネルギーは所定の閾値以上であることを示す場合、ＦＬＯ信号は検出される。検出されたＷＩＤエネルギーレベルが所定の閾値未満である場合、ＦＬＯ信号は現在のＲＦチャネル内で検出されない。ＬＩＣブロックの後には、図６に関して上で説明されたものと類似した方法で、ＴＤＭ２ブロック１０１４と、ＷＯＩＳ復号のためにチャネルの推定を円滑にするＷＴＰＣブロック１０１６と、ＷＯＩＳブロック１０１８とが続く。ＷＯＩＳブロック１０１８の終了時に、ＷＯＩＳターボＰＥＲがゼロに等しいかどうかに関して判定することが可能であり、そうである場合、ＦＬＯ信号は検出される。ＷＯＩＳ  ＰＥＲがゼロに等しくない場合、ＦＬＯ信号は検出されない。もう１つのＲＦ交換および整定期間の後、ブロック１０２０で、レジスタを復元することができ、動作を再開することが可能である。動作の再開は、例えば、その中でＦＬＯ信号が検出されたＲＦチャネル上で通信を再開すること、ＦＬＯ信号が検出されない場合、ＦＬＯ信号検出のもう１つの反復を実行すること、または任意のその他の適切な動作を含んでもよい点が理解されるであろう。
【００５４】
図１１は、本明細書で記載される１つまたは複数の態様による、無線通信環境でＦＬＯチャネル監視および／またはＦＬＯチャネルの交換を円滑にするユーザ装置１１００の例示である。ユーザ装置１１００は、例えば、受信アンテナ（図示せず）から信号を受信する受信機１１０２を含み、そこで受信信号に関して典型的な動作（例えば、フィルタ処理、増幅、ダウンコンバートなど）を実行し、サンプルを取得するために条件づけられた信号をデジタル化する。復調器１１０４は、受信パイロット信号を復調して、チャネル推定のためにプロセッサ１１０６に提供することができる。プロセッサ１１０６は、受信機１１０２によって受信された情報を分析する、および／または送信機１１１６による伝送のために情報を生成する専用のプロセッサ、ユーザ装置１１００の１つまたは複数の構成要素を制御するプロセッサ、および／または受信機１１０２によって受信された情報を分析し、送信機１１１６による伝送のために情報を生成し、ユーザ装置１１００の１つまたは複数の構成要素を制御するプロセッサであってもよい。
【００５５】
ユーザ装置１１００は、加えて、プロセッサ１１０６に動作可能に結合され、ＲＦチャネル識別性に関する情報、それに関連するＴＤＭパイロット情報、ＴＤＭパイロットカウンタ調整値、それに関連する情報を含む（１つまたは複数の）ルックアップテーブル、および本明細書で説明される無線通信システムでユーザにシームレスな情報表示を提供するために、ＲＦチャネルの監視および／または交換をサポートするための任意のその他の適切な情報を記憶するメモリ１１０８を含んでよい。メモリ１１０８は、加えて、本明細書で説明される様々な方法を実行するためにユーザ装置１１００が記憶されたプロトコルおよび／またはアルゴリズムを用いることができるように、ＲＦチャネル監視用プロトコル、ＲＦチャネル交換用プロトコルなどを記憶してもよい。
【００５６】
本明細書で説明されるデータ記憶（例えば、メモリ）構成要素は、揮発性メモリもしくは非揮発性メモリであってよく、または揮発性メモリと非揮発性メモリの両方を含んでもよい点が理解されるであろう。限定ではなく例示として、非揮発性メモリは、読出し専用メモリ（ＲＯＭ）、プログラム可能ＲＯＭ（ＰＲＯＭ）、電子的にプログラム可能なＲＯＭ（ＥＰＲＯＭ）、電子的に消去可能なＲＯＭ（ＥＥＰＲＯＭ）、またはフラッシュメモリを含んでよい。揮発性メモリは、外部のキャッシュメモリとしての機能を果たすランダムアクセスメモリ（ＲＡＭ）を含んでもよい。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレート（ｄｏｕｂｌｅ  ｄａｔａ  ｒａｔｅ）ＳＤＲＡＭ（ＤＤＲ  ＳＤＲＡＭ）、拡張ＳＤＲＡＭ（ＥＳＤＲＡＭ）、シンクリンク（Ｓｙｎｃｈｌｉｎｋ）ＤＲＡＭ（ＳＬＤＲＡＭ）、およびダイレクトランバス（ｄｉｒｅｃｔ  Ｒａｍｂｕｓ）ＲＡＭ（ＤＲＲＡＭ）など、多くの形態で利用可能である。対象となるシステムおよび方法のメモリ１１０８は、限定されることなしに、これらのおよび任意のその他の適切な種類のメモリを含むことが意図される。
【００５７】
受信機１１０２は、例えば、上で説明されたように、ロック外れの発生時に、新しいＦＬＯ  ＲＦチャネルの監視の開始を円滑にするＦＬＯチャネルモニタ１１１０をさらに含んでよい。加えてかつ／または代替として、ＦＬＯチャネルモニタ１１１０は、やはり先の図に関して説明されたように、アプリケーションによって開始されたＦＬＯチャネル監視を実行してもよい。受信機１１０２は、１つまたは複数のＲＦチャネルのバックグラウンド監視に関連する様々な動作を実行するバックグラウンドモニタ１１１２をなおさらに含んでもよい。例えば、バックグラウンドモニタ１１１２は、ＲＦ周波数が交換復帰した場合、元のチャネルに関して受信機動作を復元するために、ＤＣブロック、ＡＧＣブロック、ＡＦＣブロック、およびタイミングブロックに関していくつかの制約を行使してよい。
【００５８】
例えば、ＤＣブロックに関して、新しいＲＦチャネルに交換する前に、現在のＲＦチャネルに関連する粗と密の（ｃｏａｒｓｅ  ａｎｄ  ｆｉｎｅ）ループアキュムレータ（および／またはレジスタ）がメモリ１１０８内に記憶され得る。かかるループアキュムレータは、元のチャネルに交換復帰した後に回復されることが可能である。現在のチャネルに関するＡＧＣブロック、ＡＧＣ利得状態、およびＤＶＧＡループアキュムレータ値は、交換の前に記憶されて、交換復帰時に回復されることが可能である。ＡＦＣブロックの場合、外部ループ周波数アキュムレータは、新しいチャネルへの交換後と、元のチャネルに交換復帰する前とに凍結される（例えば、記憶される）ことが可能である。ＲＦはＦＬＯ信号を探索するために一時的にだけ交換するため、新しいチャネル上で動作する場合、外部ループ更新は、温度補償電圧制御水晶発振器（ＴＣＶＣＸＯ）と関連づけることが可能であり、内部ループは、例えば、新しいチャネルに関して見逃し周波数誤りおよびドップラを追跡するために用いることが可能である。内部ループの周波数アキュムレータは、新しいチャネルに交換する前にメモリ１１０８内に記憶されてもよく、元のチャネルに交換復帰した後で回復されることができ、その時点で外部ループは元のチャネル上の動作の再開を円滑にするために再度更新され得る。タイミングブロックの場合、かつ前述のＦＬＯ探索方法は新しいチャネル上でＴＤＭパイロット１を検出するという事実に鑑みて、例えば、
４６２５−ＴＤＭ１前の旧サンプルカウンタ＋ＴＤＭ１後の新しいサンプルカウンタ
として表現され得るＴＤＭパイロット１カウンタ調整値は、ＴＤＭパイロット１が新しいチャネル上で検出された後でメモリ１１０８に記憶することが可能であり、チャネルが元の周波数に交換復帰する前に取り消すことができる。ＦＬＯ信号探索に関して、ＷＯＩＳ  ＰＥＲ方法を使用しようと、組み合わされたＷＩＤ／ＷＯＩＳ方法を使用しようと、新しいチャネルに関するＴＤＭパイロット２は、元のチャネルに交換復帰する前に新しいチャネルに関してＴＤＭパイロット２カウンタ調整値が記憶されかつ取り消されることも可能であるように常に処理される。このように、受信機１１０２は、ＦＬＯ信号探索および／または改善されたユーザ経験とストリーミングデータなどのシームレスな受信を円滑にするための交換に関連して、複数のＲＦチャネル監視機能を実行することができる。
【００５９】
図１２は、様々な態様による、無線通信環境で複数のＲＦチャネルの提供を円滑にするシステム１２００の例示である。システム１２００は、複数の受信アンテナ１２０６を介して１つまたは複数のユーザ装置１２０４から（１つまたは複数の）信号を受信する受信機１２１０と、送信アンテナ１２０８を介して１つまたは複数のユーザ装置１２０４に送信する送信機１２２２とを有する基地局１２０２を含む。受信機１２１０は、受信アンテナ１２０６から情報を受信して、受信情報を復調する復調器１２１２に関連して動作可能である。復調された記号は、図１１に関して上で説明されたプロセッサに類似し、ユーザ識別性、ＲＦチャネル周波数、ＲＦチャネル上で送信されたデータ、当該データに関するルックアップテーブル、および／または本明細書で記載される様々な動作および機能を実行することに関連する任意のその他の適切な情報を記憶するメモリ１２１６に結合されたプロセッサ１２１４によって分析される。プロセッサ１２１４は、先の図に関して説明されたように（１つまたは複数の）ユーザ装置１２０４によるＲＦチャネル交換を円滑にすることが可能な、複数のＲＦチャネル上のスーパーフレーム伝送を同期化するＦＬＯチャネルガバナ（ｃｈａｎｎｅｌ  ｇｏｖｅｒｎｏｒ）１２１８にさらに結合される。変調器１２２０は、（１つまたは複数の）ユーザ装置１２０４に対する送信アンテナ１２０８を介した送信機１２２２による伝送に関して信号を多重化することが可能である。このように、基地局１２０２は、ＲＦチャネル交換、ＦＬＯ信号検出、チャネル監視などを可能にするために、（１つまたは複数の）ユーザ装置１２０４と相互作用することができる。
【００６０】
図１３は、例示的な無線通信システム１３００を示す。無線通信システム１３００は、簡潔さのために、１つの基地局と１つの端末とを示す。しかし、システムは、２つ以上の基地局および／または２つ以上の端末を含んでよく、追加の基地局および／または端末は、下で説明される例示的な基地局および端末と実質上同じであってよく、または異なってもよい点が理解されるであろう。加えて、基地局および／または端末は、その間で無線通信を円滑にするために、本明細書で説明されるシステム（図１、２、および６〜１３）および／または方法（図３〜５）を用いてよい点が理解されるであろう。
【００６１】
次に図１３を参照すると、ダウンリンク上のアクセスポイント１３０５で、送信（ＴＸ）データプロセッサ１３１０は、トラヒックデータを受信、フォーマット、符号化、インタリーブ、および変調（または記号マップ）して、変調記号（「データ記号」）を提供する。記号変調器１３１５は、データ記号およびパイロット記号を受信および処理して、記号のストリームを提供する。記号変調器１３２０は、データ記号およびパイロット記号を多重化して、それらを送信機装置（ＴＭＴＲ）１３２０に提供する。各送信記号は、データ記号、パイロット記号、またはゼロの信号値であってよい。パイロット記号は、各記号期間内に同時に送信されてよい。パイロット記号は、周波数分割多重（ＦＤＭ）、直交周波数分割多重（ＯＦＤＭ）、時分割多重（ＴＤＭ）、周波数分割多重（ＦＤＭ）、または符号分割多重（ＣＤＭ）されてよい。
【００６２】
ＴＭＴＲ１３２０は、記号のストリームを受信して、１つまたは複数のアナログ信号に変換し、無線チャネル上での伝送に適したダウンリンク信号を生成するためにアナログ信号をさらに条件づける（例えば、増幅、フィルタ処理、および周波数アップコンバートする）。ダウンリンク信号は、次いで、アンテナ１３２５を介して端末に送信される。端末１３３０で、アンテナ１３３５は、ダウンリンク信号を受信して、受信信号を受信機装置（ＲＣＶＲ）１３４０に提供する。受信機装置１３４０は、受信信号を条件づけして（例えば、フィルタ処理、増幅、および周波数ダウンコンバートして）、サンプルを取得するために条件づけされた信号をデジタル化する。記号復調器１３４５は、受信パイロット信号を復調して、チャネル推定のためにプロセッサ１３５０に提供する。記号復調器１３４５は、プロセッサ１３５０からダウンリンクのために周波数応答推定をさらに受信して、（送信されたデータ記号の推定である）データ記号推定を取得するために受信データ記号に関してデータ復調を実行して、送信トラヒックデータを回復するために、データ記号推定を復調（すなわち、記号デマップ）、ディインタリーブ、および復号するＲＸデータプロセッサ１３５５にデータ記号推定を提供する。記号復調器１３４５とＲＸデータプロセッサ１３５５とによる処理は、アクセスポイント１３０５で、それぞれ記号変調器１３１５とＴＸデータプロセッサ１３１０とによる処理に対して補完的である。
【００６３】
アップリンク上で、ＴＸデータプロセッサ１３６０は、トラヒックデータを処理して、データ記号を提供する。記号変調器１３６５は、パイロット記号を有するデータ記号を受信および多重化して、変調を実行し、記号のストリームを提供する。送信機装置１３７０は、次いで、アンテナ１３３５によってアクセスポイント１３０５に送信されるアップリンク信号を生成するために記号のストリームを受信および処理する。
【００６４】
アクセスポイント１３０５で、端末１３３０からのアップリンク信号はアンテナ１３２５によって受信されて、サンプルを取得するために受信機装置１３７５によって処理される。記号復調器１３８０は、次いで、サンプルを処理して、アップリンクに関して受信されたパイロット記号推定とデータ記号推定とを提供する。ＲＸデータプロセッサ１３８５は、端末１３３０によって送信されたトラヒックデータを回復するためにデータ記号推定を処理する。プロセッサ１３９０は、アップリンク上の各アクティブ端末送信に関してチャネル推定を実行する。複数の端末は、それぞれの割り当てられたパイロット副帯域のセットに関してアップリンク上でパイロットを同時に送信することができ、パイロット副帯域のセットはインタレースされることが可能である。
【００６５】
プロセッサ１３９０および１３５０は、それぞれ、アクセスポイント１３０５と端末１３３０とで、動作を指図（例えば、制御、調整、管理など）する。それぞれのプロセッサ１３９０および１３５０は、プログラムコードとプログラムデータを記憶するメモリ装置（図示せず）に関連づけられてよい。プロセッサ１３９０および１３５０はまた、それぞれ、アップリンクとダウンリンクとに関して周波数推定とインパルス応答推定とを導き出すために計算を実行することも可能である。
【００６６】
多元接続システム（例えば、ＦＤＭＡ、ＯＦＤＭＡ、ＣＤＭＡ、ＴＤＭＡなど）の場合、複数の端末は、アップリンク上で同時に送信することができる。かかるシステムの場合、パイロット副帯域は異なる端末間で共有され得る。チャネル推定技術は、（場合によっては、帯域縁を除いて）各端末のためのパイロット副帯域が動作帯域全体にわたる場合に使用され得る。かかるパイロット副帯域構造は、各端末に関して周波数ダイバーシティを取得するために所望されることになる。本明細書で説明される技術は、様々な手段で実施されてよい。例えば、これらの技術は、ハードウェア、ソフトウェア、またはそれらの組合せで実施されてよい。ハードウェア実施の場合、チャネル推定に使用される処理装置は、特定用途向け集積回路（ＡＳＩＣ）、デジタル信号プロセッサ（ＤＳＰ）、デジタル信号処理装置（ＤＳＰＤ）、プログラム可能な論理素子（ＰＬＤ）、フィールドプログラム可能ゲートアレイ（ＦＰＧＡ）、プロセッサ、コントローラ、マクロコントローラ、マイクロプロセッサ、本明細書で説明される機能を実行するように設計された他の電子装置、またはそれらの組合せの１つまたは複数であってよい。ソフトウェアの場合、実施は、本明細書で説明される機能を実行するモジュール（例えば、手順、機能など）を介してもよい。ソフトウェアコードは、メモリ装置内に記憶されて、プロセッサ１３９０および１３５０によって実行されてよい。
【００６７】
図１４は、本明細書で提示される様々な態様による、ＦＬＯ信号検出の実行を円滑にする装置１４００の例示である。ＦＬＯサービスがＲＦチャネル上で利用可能であるかどうか判定するために、ＦＬＯ検出を開始することが可能であり、時分割多重（ＴＤＭ）パイロット検出タイマなど、タイマを初期化するための手段１４０２は、第１のＴＤＭパイロット（ＴＤＭ１）の検出を試みるために活動化させることが可能であり、そこでＣＴＤＭ１のためのタイマカウントを０で開始することが可能である。タイマを初期化するための手段１４０２は、やはりカウンタＣＴＤＭ１を増分することも可能な、パイロット（例えば、ＴＤＭ１）を検出するための手段１４０４に動作可能に結合されてよい。比較するための手段１４０６は、カウンタ値が追求されているパイロットの値より大きいかどうか判定するために、ＣＴＤＭ１に関連するカウンタ値を追求されているパイロットに関連する値と比較することが可能である。例えば、追求されているパイロットがＴＤＭ１であり、カウンタがパイロットを検出するための手段４０４によって０から１に増分された場合、比較するための手段１４０６は、カウンタ値が追求されているパイロットの値よりも大きくない（例えば、この実施例では、値は等しい）ことを決定できる。そのような場合には、検出するための手段１４０４は、パイロット検出でもう１つの試行を開始して、カウンタを再度増分することができる。加えて、検出するための手段は、パイロットが首尾よく検出されたかどうかに関して決定することが可能である。決定が否定的である場合、遅れパイロット検出プロトコルを実行するための手段１４０８が活動化させることが可能であり、パイロット検出は検出するための手段１４０４によって再度試みることができる。遅れパイロット検出プロトコルを実行するための手段１４０８は、所定の時間ＴＴＤＭ１（例えば、ＴＤＭ１パイロット検出タイムアウト）の後に、遅れ検出アルゴリズムをアサートすることができ、かかるアサート時に、パイロット検出のための手段１４０４はパイロットの検出を再度試みることが可能である。
【００６８】
遅れ検出アルゴリズムが用いられない場合、広域識別性（ＷＩＤ）エネルギーを比較するための手段は、分析されている伝送に関連するＷＩＤチャネルに関するエネルギーレベルを所定の閾値のエネルギーレベルと比較することができる。検出されたＷＩＤエネルギーが所定の閾値レベルより大きくない場合、ＦＬＯ信号は検出されない。検出されたＷＩＤエネルギーが閾値より大きい場合、ＦＬＯ信号は検出される。装置１４００の様々な手段は、ＦＬＯ信号検出を円滑にするために、例えば、無線通信環境で通信するユーザ装置によって繰返しかつ／または連続的に実行されかつ／または包括されてよい点が理解されるであろう。
【００６９】
ソフトウェア実施の場合、本明細書で説明される技術は、本明細書で説明される機能を実行するモジュール（例えば、手順、機能など）により実施されてよい。ソフトウェアコードは、メモリ装置内に記憶され、プロセッサによって実行されてよい。メモリ装置は、プロセッサ内で実施されてよく、またはプロセッサの外部で実施されてもよく、その場合、当技術分野で知られている様々な手段によりプロセッサに通信可能に結合されてよい。
【００７０】
上で説明されたことは、１つまたは複数の実施形態の例を含む。前述の実施形態を説明する目的で構成要素または方法のすべての考えられる組合せを説明することは当然不可能であるが、当業者は様々な実施形態の多くのさらなる組合せおよび置換えが可能であることを理解することが可能である。したがって、説明された実施形態は、添付の特許請求の範囲の精神および範囲に包括されるすべてのかかる変更形態、修正形態、および改変形態を含むことが意図される。さらに、用語「含む」が詳細な説明または請求項で使用される限り、かかる用語は、請求項で移行語として用いられる場合に用語「含む」が解釈されるように、用語「含む」と同様の方法で包括的とされることが意図される。
【図面の簡単な説明】
【００７１】
【図１】本明細書で提示される様々な実施形態による無線網通信システムを例示する図。
【図２】１つまたは複数の実施形態による多元接続無線通信システムを例示する図。
【図３】本明細書で提示される様々な態様によるＦＬＯ信号検出を実行するための方法を例示する図。
【図４】様々な態様による、無線通信環境でＦＬＯ信号を検出するための方法を例示する図。
【図５】様々な態様による、ＦＬＯ信号を検出するための方法を例示する図。
【図６】１つまたは複数の態様による、提案されるＦＬＯ探索方式を用いたロック外れベースおよびアプリケーション層によって開始された監視方法のタイムライン（ｔｉｍｅｌｉｎｅ）を例示する図。
【図７】１つまたは複数の態様による、ＦＬＯチャネル監視のためのハイレベル状態遷移ブロック図。
【図８】１つまたは複数の態様による、ＷＩＤエネルギーベースのＦＬＯ信号検出方法を用いてバックグラウンド監視を実行するためのタイムラインを例示する図。
【図９】１つまたは複数の態様による、ＷＯＩＳ−ＰＥＲベースのＦＬＯ信号検出方法を用いてバックグラウンド監視を実行するためのタイムラインを例示する図。
【図１０】１つまたは複数の態様による、組み合わされたＷＩＤエネルギーベースおよびＷＯＩＳ−ＰＥＲベースのＦＬＯ信号検出方法を用いてバックグラウンド監視を実行するためのタイムラインを例示する図。
【図１１】本明細書で記載される１つまたは複数の態様による、無線通信環境でＦＬＯチャネル監視および／またはＦＬＯチャネルの交換を円滑にするユーザ装置を例示する図。
【図１２】様々な態様による無線通信環境で複数のＲＦチャネルの提供を円滑にするシステムを例示する図。
【図１３】本明細書で説明される様々なシステムおよび方法に関して用いることが可能な無線網環境を例示する図。
【図１４】本明細書で提示される様々な態様によるＦＬＯ信号検出の実行を円滑にする装置を例示する図。
【図１】
2009514269.tif 000003
【図２】
2009514269.tif 000004
【図３】
2009514269.tif 000005
【図４】
2009514269.tif 000006
【図５】
2009514269.tif 000007
【図６】
2009514269.tif 000008
【図７】
2009514269.tif 000009
【図８】
2009514269.tif 000010
【図９】
2009514269.tif 000011
【図１０】
2009514269.tif 000012
【図１１】
2009514269.tif 000013
【図１２】
2009514269.tif 000014
【図１３】
2009514269.tif 000015